(57)【要約】      （修正有）【課題】アナログ表示機能を備え、且つ表示部に指針軸を設けない表示装置を提供する。【解決手段】表示部３と、その表示部３の少なくとも周囲に配置され、且つ表示部３上に配置されるアナログ針１１・２１・３１を有する駆動部材と、駆動部材を駆動させる駆動部と、を備える表示装置である。駆動部材は、アナログ針１１・２１・３１を駆動部材とは別体として、且つ当該アナログ針１１・２１・３１の先端部が駆動部材上に結合するように形成される。そして、駆動部材は、表示部３の周囲に重畳するディスク状またはリング状に形成される。【選択図】図１
2017067576.tif 000002
【特許請求の範囲】
【請求項１】
表示部と、
前記表示部の少なくとも周囲に配置され、且つ前記表示部上に配置されるアナログ針を有する駆動部材と、
前記駆動部材を駆動させる駆動部と、
を備えることを特徴とする表示装置。
【請求項２】
前記駆動部材は、前記アナログ針を当該駆動部材とは別体として、且つ当該アナログ針の先端部が当該駆動部材上に結合するように形成されることを特徴とする請求項１に記載の表示装置。
【請求項３】
前記駆動部材は、前記表示部の周囲に重畳するディスク状またはリング状に形成されることを特徴とする請求項１または２に記載の表示装置。
【請求項４】
前記アナログ針は、短針、長針及び秒針の三本からなり、
前記駆動部材は、前記短針を有する短針用駆動部材、前記長針を有する長針用駆動部材、及び前記秒針を有する秒針用駆動部材が三枚重ねとなっていることを特徴とする請求項１から３のいずれか一項に記載の表示装置。
【請求項５】
前記アナログ針は前記駆動部材に結合される前記先端部を支点に回動して前記表示部の周囲に移動可能なように前記駆動部材に形成されることを特徴とする請求項１から４のいずれか一項に記載の表示装置。
【請求項６】
前記アナログ針の先端部に一体化して設けられる第二の係合部と、
前記駆動部材が前記駆動部により反時計方向に回動される場合、前記駆動部に係合し、前記アナログ針を前記表示部の周囲に移動させる第三の係合部と、を備えることを特徴とする請求項４に記載の表示装置。
【請求項７】
外部からの操作入力を受け付ける操作部と、
前記操作部への操作を検出する検出部を更に備え、
前記検出部により、前記操作部への入力操作が検出された場合、前記駆動部は前記検出結果に基づいて、前記駆動部材を回動させることを特徴とする請求項４または５に記載の表示装置。
【請求項８】
前記表示部上に、前記操作部としてタッチパネルが設けられていることを特徴とする請求項６に記載の表示装置。
【請求項９】
前記操作部は操作ボタンといった物理的な入力部材を含むことを特徴とする請求項６または７に記載の表示装置。
【請求項１０】
外部装置と通信する通信部を更に備え、
前記駆動部は前記通信部により取得された情報に基づいて、前記駆動部材を回動させることを特徴とする請求項１から８のいずれか一項に記載の表示装置。
【請求項１１】
前記通信部により外部から情報を取得した場合に、前記表示制御部は前記表示部に当該情報を表示させるよう制御し、
前記駆動部は前記駆動部材を回動させ、前記アナログ針を前記表示部の周囲に移動させることを特徴とする請求項９に記載の表示装置。
【請求項１２】
前記駆動部の駆動状態から前記アナログ針の位置を算出する位置算出部と、
前記算出手段により算出されたアナログ針の位置情報に基づいて、前記表示部の表示状態を制御する表示制御部と、
をさらに備えることを特徴とする請求項１から１０のいずれか一項に記載の表示装置。
【請求項１３】
前記位置算出部は、前記アナログ針の短針、長針及び秒針の位置を算出し、
前記表示制御部は前記アナログ針の短針、長針及び秒針の夫々の位置情報に基づいて、前記アナログ針の位置を避けるよう前記表示部の表示状態を制御することを特徴とする請求項１１に記載の表示装置。
【請求項１４】
前記駆動部は、前記表示制御部により表示部に表示される情報に応じて、前記駆動部材を回動させることを特徴とする請求項１１または１２に記載の表示装置。
【請求項１５】
前記駆動部は、前記短針用駆動部材、前記長針用駆動部材、及び前記秒針用駆動部材を夫々異なる回転方向に駆動可能であることを特徴とする請求項１から１３のいずれか一項に記載の表示装置。
【発明の詳細な説明】
【技術分野】
【０００１】
本発明は、アナログ表示機能を備える表示装置に関する。
【背景技術】
【０００２】
アナログ表示機能とデジタル表示機能の両方で時間を表示可能な表示装置がある（例えば特許文献１参照）。
【先行技術文献】
【特許文献】
【０００３】
【特許文献１】特開平１０−２８２２７４号公報
【発明の概要】
【発明が解決しようとする課題】
【０００４】
しかしながら、特許文献１に記載された技術は、デジタル表示部にアナログ表示用の針の軸となる指針軸の穴を開ける必要があるため、デジタル表示の表示方法には制限があった。
【０００５】
本発明の課題は、アナログ表示機能を備え、且つ表示部に指針軸を設けない表示装置を提供することである。
【課題を解決するための手段】
【０００６】
以上の課題を解決するため、本発明は、
表示部と、
前記表示部の少なくとも周囲に配置され、且つ前記表示部上に配置されるアナログ針を有する駆動部材と、
前記駆動部材を駆動させる駆動部と、
を備える表示装置を特徴とする
【発明の効果】
【０００７】
本発明によれば、アナログ表示機能を備え、且つ表示部に指針軸を設けない表示装置を提供することができる。
【図面の簡単な説明】
【０００８】
【図１】本発明を適用した表示装置の一実施形態の構成を示すもので、リスト表示装置のアナログ表示とデジタル表示の一例を示す正面図（ａ）と、デジタル表示優先時を示す図（ｂ）である。
【図２】図１のリスト表示装置の分解斜視図である。
【図３】図１の短針が時計として動作している時の一例を示す正面図（ａ）と、短針を表示部の外側に移動する時を示す図（ｂ）と、短針の外側移動状態を示す図（ｃ）である。
【図４】図１のリスト表示装置の中央縦断面図である。
【図５】図４の矢印Ａ部の拡大図（ａ）と、同じく矢印Ｂ部の拡大図（ｂ）である。
【図６】デジタル画像とアナログ針の制御のブロック図である。
【図７】針収納時のフローチャートである。
【図８】針を出す時のフローチャートである。
【図９】実施形態２を示すもので、デジタル画像とアナログ針の表示例を示した正面図（ａ）（ｂ）である。
【図１０】クロノグラフ表示の場合のフローチャートである。
【図１１】実施形態３を示すもので、デジタル画像とアナログ針の表示例を示した正面図（ａ）〜（ｃ）である。
【図１２】タイマーの場合のフローチャートである。
【発明を実施するための形態】
【０００９】
以下、図を参照して本発明を実施するための形態を詳細に説明する。
（実施形態１）
図１は本発明を適用した表示装置の一実施形態の構成としてリスト表示装置を示すもので、図２はその分解状態を示しており、１は側・バック・裏蓋、２はベゼルカバー、３は液晶表示部、１１は短針（アナログ針）、１２はディスク部材（駆動部材）、１３は歯車部、１４は回転歯車（駆動部）、２１は長針（アナログ針）、２２はディスク部材（駆動部材）、２３は歯車部、２４は回転歯車（駆動部）、３１は秒針（アナログ針）、３２はディスク部材（駆動部材）、３３は歯車部、３４は回転歯車（駆動部）である。
【００１０】
リスト表示装置は、図示のように、側・バック・裏蓋１及びベゼルカバー２の内部に、デジタル表示を行う円形の液晶表示部３と、アナログ針による物理的な時間表示（以後、アナログ表示と呼ぶ）を行う短針１１、長針２１及び秒針３１が収納されている。
短針１１、長針２１及び秒針３１は、三枚重ねのディスク部材１２・２２・３２に先端部がそれぞれ結合されている。
【００１１】
すなわち、短針１１は、液晶表示部３の周囲に対応するリング状のディスク部材１２上に先端部で結合されており、このディスク部材１２の外周に歯車部１３が形成されている。
短針１１の先端部は、回転歯車１４の軸部を介してディスク部材１２上に結合されている。
【００１２】
同様に、長針２１は、液晶表示部３の周囲に対応するリング状のディスク部材２２上に先端部で結合されており、このディスク部材２２の外周に歯車部２３が形成されている。
長針２１の先端部は、回転歯車２４の軸部を介してディスク部材２２上に結合されている。
【００１３】
同様に、秒針３１は、液晶表示部３の周囲に対応するリング状のディスク部材３２上に先端部で結合されており、このディスク部材３２の外周に歯車部３３が形成されている。
秒針３１の先端部は、回転歯車３４の軸部を介してディスク部材３２上に結合されている。
【００１４】
図３（ａ）は短針１１が時計として動作している時の一例を示すもので、１５は駆動歯車、１７は反転部材、１８は歯車部である。
【００１５】
図示のように、ディスク部材１２外周の歯車部１３に噛み合う駆動歯車１５が設けられている。この駆動歯車１５は、図４に示すように、側・バック・裏蓋１の内部に設置したモーター１６により回転駆動される。
【００１６】
モーター１６の駆動による駆動歯車１５の矢印イ方向の回転により歯車部１３が噛み合うディスク部材１２が、図３（ａ）に矢印ロで示す時計回りに回転して、短針１１の位置を変化させることにより時間が表示される。
【００１７】
また、ディスク部材１２の周囲の上方には、反転部材１７が配置されている。この反転部材１７は、一側面に略直線状の歯車部１８を有して、図４に示すように、側・バック・裏蓋１の内部に設置したモーター１９により回転駆動される。
【００１８】
すなわち、モーター１９の駆動による反転部材１７の図３（ａ）に矢印ハで示す１８０度回転で、図３（ｂ）に示すように、ディスク部材１２の周囲上方に反転部材１７の歯車部１８が位置する。
【００１９】
図３（ｂ）は短針１１を液晶表示部３の外側に移動する場合の動作を示すもので、この状態で、モーター１６の駆動による駆動歯車１５の矢印イと逆の矢印ニ方向の回転により歯車部１３が噛み合うディスク部材１２が、矢印ホで示す反時計回りに回転すると、所定の回転位置で、短針１１先端部の回転歯車１４が反転部材１７の歯車部１８に噛み合う。
【００２０】
図３（ｃ）は短針１１の外側移動状態を示すもので、ディスク部材１２の反時計回りの回転に伴って、反転部材１７の歯車部１８に回転歯車１４が噛み合う短針１１が、回転歯車１４を始点として回転して、矢印ヘで示すように、液晶表示部３の外側に移動する。
【００２１】
図４はリスト表示装置の中央縦断面を示すもので、図５はその要部を拡大して示しており、４はケース、２５は駆動歯車、２６はモーター、２７は反転部材、２８は歯車部、２９はモーター、３５は駆動歯車、３６はモーター、３７は反転部材、３８は歯車部、３９はモーターである。
【００２２】
すなわち、ケース４の内部に、短針１１と、歯車部１３を有するディスク部材１２と、短針１１の回転歯車１４が収納されて、ケース４の外部に、駆動歯車１５と、歯車部１８を有する反転部材１７が配置されている。
なお、ケース４の外周に適宜設けられた図示しないスリット部において、ディスク部材１２の歯車部１３と駆動歯車１５が噛み合うとともに、短針１１の回転歯車１４と反転部材１７の歯車部１８が噛み合い可能となっている。
【００２３】
そして、長針２１に対応して、短針１１用と同様の駆動歯車２５、そのモーター２６、反転部材２７、その歯車部２８、及びモーター２９が設けられている。
さらに、秒針３１に対応して、短針１１用と同様の駆動歯車３５、そのモーター３６、反転部材３７、その歯車部３８、及びモーター３９が設けられている。
【００２４】
従って、ディスク部材１２の反時計方向の回転に伴って、短針１１と同様に、反転部材２７の歯車部２８に回転歯車２４が噛み合う長針２１も、回転歯車２４を始点として回転して、液晶表示部３の外側に移動する。
同時に、反転部材３７の歯車部３８に回転歯車３４が噛み合う秒針３１も、回転歯車３４を始点として回転して、液晶表示部３の外側に移動する。
【００２５】
以上において、短針１１、長針２１及び秒針３１は通常、各々のディスク部材１２・２２・３２と一体に時計回りにそれぞれ回転することで時刻を表示する。
そして、例えばメールや電話の着信通知が来た時、液晶表示部３のタッチパネルをタッチした時、操作ボタンを押した時など何らかの操作をした時に、短針１１、長針２１及び秒針３１は液晶表示部３の外側にそれぞれ移動する。
【００２６】
次に、図６はデジタル画像とアナログ針の制御のブロック図で、図示のように、液晶表示部３及びタッチパネルと、ディスク部材１２・２２・３２を回転駆動するモーター１６・２６・３６と、反転部材１７の針収納歯車としての歯車部１８・２８・３８は、ＣＰＵ５により各々の駆動がそれぞれ制御される。
また、ＣＰＵ５では、Ｗｉ−Ｆｉ、ブルートゥース等の無線による送受信部６を介して、メール、情報通信及び電話の送受信がそれぞれなされる。
そして、ＣＰＵ５において、以下の針収納時の制御、針を出す時の制御を含む各種制御が行われる。
【００２７】
図７は針収納時のフローチャートで、図示のように、先ず、無線経由でメール、情報通信及び電話の着信通知が届くか否かが判別され（ステップＳ１１）、着信通知が届いていなければ、ステップＳ１２に進み、着信通知が届いていれば、ステップＳ１３に進む。
【００２８】
ステップＳ１２では、ユーザが液晶表示部３のタッチパネルをタッチしたり、操作ボタンを操作等してりして時計を操作したか否かが判別され、時計を操作していなければ、ステップＳ１１の処理に戻り、時計を操作していれば、回転ディスクである三枚のディスク部材１２・２２・３２を逆回転させ、所定位置までそれぞれ動かす（ステップＳ１３）。
すなわち、各々のモーター１６・２６・３６により駆動歯車１５・２５・３５をそれぞれ回転駆動する（図３（ｂ）の矢印ニ方向参照）ことで、ディスク部材１２・２２・３２を反時計回りに所定位置までそれぞれ動かす（図３（ｂ）の矢印ホ方向参照）。
【００２９】
続いて、短針１１、長針２１及び秒針３１を液晶表示部３の外側にそれぞれ移動させて収納するために、三つの反転部材１７・２７・３７をそれぞれ１８０度回転させる（ステップＳ１４）。
すなわち、針収納歯車である歯車部１８・２８・３８の向きをそれぞれ１８０度回転させて（図３（ａ）の矢印ハ方向参照）、ディスク部材１２・２２・３２の周囲上方に反転部材１７・２７・３７の歯車部１８・２８・３８をそれぞれ位置させる（図３（ｂ）参照）。
【００３０】
続いて、三枚のディスク部材１２・２２・３２を逆回転させ、針を収納する（ステップＳ１５）。
すなわち、各々のモーター１６・２６・３６により駆動歯車１５・２５・３５をそれぞれ回転駆動させる（図３（ｂ）の矢印ニ方向参照）ことで、反時計回りに回転するディスク部材１２・２２・３２上の回転歯車１４・２４・３４を反転部材１７・２７・３７の歯車部１８・２８・３８にそれぞれ噛み合わせる。
これにより、固定状態の歯車部１８・２８・３８にそれぞれ噛み合う回転歯車１４・２４・３４と各々一体に短針１１、長針２１及び秒針３１が液晶表示部３の外側にそれぞれ回転して移動することで、（図３（ｃ）の矢印ヘ方向参照）収納状態になる。
その後、処理を終了する。
【００３１】
図８は針を出す時のフローチャートで、図示のように、先ず、着信通知や液晶表示部３のタッチパネルのタッチや操作ボタンの操作等の無い無操作が一定時間経過したか否かが判断され（ステップＳ２１）、一定時間経過していなければ、ステップＳ２１に戻り、一定時間経過していれば、ステップＳ２２に進む。
【００３２】
ステップＳ２２では、三枚のディスク部材１２・２２・３２を正回転させ、収納状態である針を出す。
すなわち、各々のモーター１６・２６・３６により駆動歯車１５・２５・３５をそれぞれ回転駆動する（図３（ａ）の矢印イ方向参照）ことで、ディスク部材１２・２２・３２を時計回りにそれぞれ動かす（図３（ａ）の矢印ロ方向参照）。
この時、固定状態の歯車部１８・２８・３８にそれぞれ噛み合う回転歯車１４・２４・３４と各々一体に短針１１、長針２１及び秒針３１が液晶表示部３側にそれぞれ回転させて移動することで（図３（ｃ）の矢印ヘ方向と反対方向参照）針を出し始める。
【００３３】
こうして、短針１１、長針２１及び秒針３１の向きを元に戻す（ステップＳ２３）。
【００３４】
続いて、ディスク部材１２・２２・３２を、現在時刻になるまで回す（ステップＳ２４）。
その後、処理を終了する。
【００３５】
以上、実施形態のリスト表示装置によれば、液晶表示部３の周囲に、歯車部１３・２３・３３を外周部に各々有するリング状のディスク部材１２・２２・３２をそれぞれ重ね、そのディスク部材１２・２２・３２に短針１１、長針２１及び秒針３１の先端部をそれぞれ結合し、歯車部１３・２３・３３に駆動歯車１５・２５・３５をそれぞれ噛み合わせて、ディスク部材１２・２２・３２をそれぞれ回動させるので、アナログ表示の短針１１、長針２１及び秒針３１を備えながら、液晶表示部３による好適なデジタル表示を可能とすることができる。
【００３６】
従って、着信通知時等には、短針１１、長針２１及び秒針３１を、ディスク部材１２・２２・３２に結合される先端部を支点に回動して液晶表示部３の周囲に移動させて収納することができるため、時間等の表現方法の自由度を向上することができる。
そして、短針１１、長針２１及び秒針３１の先端部をディスク部材１２・２２・３２にそれぞれ結合する構造のため、指針軸が不要で、デジタル表示を行う液晶表示部３に穴を開けないため、製造し易いといった利点も発揮することができる。
【００３７】
（実施形態２）
図９は実施形態２を示すもので、液晶表示部３に例えば、図示のように、短針１１、長針２１及び秒針３１と、そのアナログ針の位置に応じてデジタル表示による四個のクロノグラフ３０１〜３０４を表示した例である。
【００３８】
すなわち、図９（ａ）に示すように、１０時１０数分３０数秒を表す時刻で、短針１１と長針２１の間に一個のクロノグラフ３０１を表示し、長針２１と秒針３１の間に二個のクロノグラフ３０２・３０３を表示して秒針３１と短針１１の間に一個のクロノグラフ３０４を表示する。
【００３９】
また、図９（ｂ）に示すように、０時２０数分５０数秒を表す時刻では、短針１１と長針２１の間に一個のクロノグラフ３０１を表示し、長針２１と秒針３１の間に二個のクロノグラフ３０２・３０３を表示して秒針３１と短針１１の間に一個のクロノグラフ３０４を表示する。
【００４０】
このように、アナログ表示で時刻を表示する針の位置を避けるように、デジタル表示を制御するように構成してもよい。
そして、図９（ａ）と図９（ｂ）とでは、アナログ表示で時刻を表示する３つの針の位置関係に応じて四個のクロノグラフ３０１〜３０４の大きさをそれぞれ変化させている。
【００４１】
図１０はクロノグラフ表示の場合のフローチャートで、図示のように、先ず、現在時刻はＣＰＵ５（図６参照）が保持（ステップＳ３１）しており、そのＣＰＵ５により現在時刻を表示するようディスク部材１２・２２・３２をそれぞれ回転制御する（ステップＳ３２）。これにより、短針１１、長針２１及び秒針３１による現在時刻が表示される。
この時刻表示は１秒ごとに更新される。
【００４２】
続いて、現在時刻から短針１１、長針２１及び秒針３１の位置をそれぞれ計算する（ステップＳ３３）。
【００４３】
続いて、短針１１、長針２１及び秒針３１の位置情報に応じて、液晶表示部３のサブ情報である四個のクロノグラフ３０１〜３０４の位置と大きさを変更する（ステップＳ３４）。
この処理も１秒ごとに更新される。
【００４４】
次に、表示終了か否かが判断され（ステップＳ３５）、表示終了でなければ、ステップＳ３１に戻り、表示終了であれば、処理を終了する。
【００４５】
このように、メイン情報（短針１１、長針２１及び秒針３１によるアナログ時刻情報）とサブ情報（デジタル表示によるクロノグラフ３０１〜３０４）を物理的に分けることで、視認性が大きく向上する。
そして、アナログ針（短針１１、長針２１及び秒針３１）とサブ情報（デジタル表示によるクロノグラフ３０１〜３０４）が重ならないように表示することで、視認性が向上する。
さらに、短針１１、長針２１及び秒針３１間の空き領域のサイズによって、サブ情報（デジタル表示によるクロノグラフ３０１〜３０４）の大きさを変えることで、視認性が向上する。
【００４６】
（実施形態３）
図１１は実施形態３を示すもので、液晶表示部３に例えば、図示のように、一本のアナログ針（長針２１）と、タイマーを表すデジタル画像による着色領域３１１、及び秒数３１２を表示した例である。
【００４７】
すなわち、液晶表示部３において、図１１（ａ）に示すように、アナログ針は、短針１１と秒針３１の二本を液晶表示部３の外側に収納して、長針２１の一本だけを使う。
【００４８】
そして、図１１（ｂ）に示すように、液晶表示部３のタッチパネルを操作すると、長針２１も操作に合わせて動く。
また、長針２１の位置に合わせて、タイマーに対応する着色領域３１１、及び秒数３１２を表示する。
【００４９】
さらに、図１１（ｃ）に示すように、液晶表示部３のタッチパネルから指を離すと、タイマーカウントがスタートされ、長針２１とともに着色領域３１１が動くと同時に、表示される秒数３１２が減少する。
こうして、デジタル表示の内容に応じてアナログ針（ディスク）の動きを制御する。
【００５０】
図１２はタイマーの場合のフローチャートで、図示のように、先ず、タッチパネル上の指の位置情報取得し（ステップＳ４１）、その取得した位置情報に合わせ、ディスク部材２２を回転制御する（ステップＳ４２）。
これにより、図１１（ｂ）に示すように、指の位置に長針２１が来る。
【００５１】
そして、上記と同時に液晶画面でも画面描画を行う（ステップＳ４３）ことで、図１１（ｂ）に示すように、長針２１の位置に対応して着色領域３１１、及び秒数３１２が表示される。
【００５２】
続いて、指を離したか否かが判別され（ステップＳ４４）、指を離していなければ、ステップＳ４１に戻り、指を離したならば、カウントダウンに合わせディスク２２を動かす（ステップＳ４５）。
これにより、図１１（ｃ）に示すように、長針２１が反時計回りに移動し始める。
【００５３】
そして、上記と同時に液晶画面でも画面描画を行う（ステップＳ４６）ことで、図１１（ｃ）に示すように、長針２１とともに着色領域３１１が動くと同時に、表示される秒数３１２が減少する。
【００５４】
このように、物理的な針（長針２１）を操作することで、液晶画面を直感的に操作できる。
そして、アナログ針による時刻だけでなく、図示のように、デジタル表示によるタイマー機能を付加することできる。
また、液晶画面は斜めから、見ると反射などで見え難くなるが、針とコンビで表示することで、斜めからの視野角を網羅し、かつ、液晶で色表現することでより、視認性が向上する。
【００５５】
（変形例）
なお、実施形態３では、長針２１のみを使用したが、短針１１または秒針３１を使用してもよい。
【００５６】
（他の変形例）
以上の実施形態においては、リスト表示装置としたが、本発明はこれに限定されるものではなく、アナログ表示機能を備える携帯電話など他の表示装置であってもよい。
また、実施形態では、表示部の周囲に対応するリング状のディスク部材としたが、ディスク部材は透明材料により形成されていてもよい。
また、ディスク部材の外周部は歯車状に形成されるよう記載したが、あくまで回動歯車と係合すればよいため、チェーンのような形状で構成されても良い。
さらに、表示部の形状や針形状等も任意であり、その他、具体的な細部構造等についても適宜に変更可能であることは勿論である。
また、上述の実施形態においては、ディスク部材にアナログ針を結合させるように構成したが、ディスク部材とアナログ針を一体となるよう成型しても良い。すなわち駆動部材はディスク部材とアナログ針の両方を含むように構成されることを特徴としている。
【００５７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
表示部と、
前記表示部の少なくとも周囲に配置され、且つ前記表示部上に配置されるアナログ針を有する駆動部材と、
前記駆動部材を駆動させる駆動部と、
を備えることを特徴とする表示装置。
＜請求項２＞
前記駆動部材は、前記アナログ針を当該駆動部材とは別体として、且つ当該アナログ針の先端部が当該駆動部材上に結合するように形成されることを特徴とする請求項１に記載の表示装置。
＜請求項３＞
前記駆動部材は、前記表示部の周囲に重畳するディスク状またはリング状に形成されることを特徴とする請求項１または２に記載の表示装置。
＜請求項４＞
前記アナログ針は、短針、長針及び秒針の三本からなり、
前記駆動部材は、前記短針を有する短針用駆動部材、前記長針を有する長針用駆動部材、及び前記秒針を有する秒針用駆動部材が三枚重ねとなっていることを特徴とする請求項１から３のいずれか一項に記載の表示装置。
＜請求項５＞
前記アナログ針は前記駆動部材に結合される前記先端部を支点に回動して前記表示部の周囲に移動可能なように前記駆動部材に形成されることを特徴とする請求項１から４のいずれか一項に記載の表示装置。
＜請求項６＞
前記アナログ針の先端部に一体化して設けられる第二の係合部と、
前記駆動部材が前記駆動部により反時計方向に回動される場合、前記駆動部に係合し、前記アナログ針を前記表示部の周囲に移動させる第三の係合部と、を備えることを特徴とする請求項４に記載の表示装置。
＜請求項７＞
外部からの操作入力を受け付ける操作部と、
前記操作部への操作を検出する検出部を更に備え、
前記検出部により、前記操作部への入力操作が検出された場合、前記駆動部は前記検出結果に基づいて、前記駆動部材を回動させることを特徴とする請求項４または５に記載の表示装置。
＜請求項８＞
前記表示部上に、前記操作部としてタッチパネルが設けられていることを特徴とする請求項６に記載の表示装置。
＜請求項９＞
前記操作部は操作ボタンといった物理的な入力部材を含むことを特徴とする請求項６または７に記載の表示装置。
＜請求項１０＞
外部装置と通信する通信部を更に備え、
前記駆動部は前記通信部により取得された情報に基づいて、前記駆動部材を回動させることを特徴とする請求項１から８のいずれか一項に記載の表示装置。
＜請求項１１＞
前記通信部により外部から情報を取得した場合に、前記表示制御部は前記表示部に当該情報を表示させるよう制御し、
前記駆動部は前記駆動部材を回動させ、前記アナログ針を前記表示部の周囲に移動させることを特徴とする請求項９に記載の表示装置。
＜請求項１２＞
前記駆動部の駆動状態から前記アナログ針の位置を算出する位置算出部と、
前記算出手段により算出されたアナログ針の位置情報に基づいて、前記表示部の表示状態を制御する表示制御部と、
をさらに備えることを特徴とする請求項１から１０のいずれか一項に記載の表示装置。
＜請求項１３＞
前記位置算出部は、前記アナログ針の短針、長針及び秒針の位置を算出し、
前記表示制御部は前記アナログ針の短針、長針及び秒針の夫々の位置情報に基づいて、前記アナログ針の位置を避けるよう前記表示部の表示状態を制御することを特徴とする請求項１１に記載の表示装置。
＜請求項１４＞
前記駆動部は、前記表示制御部により表示部に表示される情報に応じて、前記駆動部材を回動させることを特徴とする請求項１１または１２に記載の表示装置。
＜請求項１５＞
前記駆動部は、前記短針用駆動部材、前記長針用駆動部材、及び前記秒針用駆動部材を夫々異なる回転方向に駆動可能であることを特徴とする請求項１から１３のいずれか一項に記載の表示装置。
【符号の説明】
【００５８】
１  側・バック・裏蓋
２  ベゼルカバー
３  液晶表示部
４  ケース
５  ＣＰＵ
６  送受信部
１１  短針（アナログ針）
１２  ディスク部材（駆動部材）
１３  歯車部
１４  回転歯車（駆動部）
１５  駆動歯車
１６  モーター
１７  反転部材
１８  歯車部
１９  モーター
２１  長針（アナログ針）
２２  ディスク部材（駆動部材）
２３  歯車部
２４  回転歯車（駆動部）
２５  駆動歯車
２６  モーター
２７  反転部材
２８  歯車部
２９  モーター
３１  秒針（アナログ針）
３２  ディスク部材（駆動部材）
３３  歯車部
３４  回転歯車（駆動部）
３５  駆動歯車
３６  モーター
３７  反転部材
３８  歯車部
３９  モーター
３０１〜３０４  クロノグラフ
３１１  着色領域
３１２  秒数
【図１】
2017067576.tif 000003
【図２】
2017067576.tif 000004
【図３】
2017067576.tif 000005
【図４】
2017067576.tif 000006
【図５】
2017067576.tif 000007
【図６】
2017067576.tif 000008
【図７】
2017067576.tif 000009
【図８】
2017067576.tif 000010
【図９】
2017067576.tif 000011
【図１０】
2017067576.tif 000012
【図１１】
2017067576.tif 000013
【図１２】
2017067576.tif 000014